(57)【特許請求の範囲】
【請求項１】
ベ−スに対して開閉蓋が開閉可能に支持され、該開閉蓋の内面に容器を保持するための容器保持部が支持されている容器保持装置において、
前記開閉蓋の内面に一対の挟持部が設けられ、
前記一対の挟持部に前記容器保持部が、前記開閉蓋内面に対して起倒伏可能に摩擦挟持されて、該容器保持部が任意の起倒伏位置で保持可能とされ、
前記容器保持部が、線材を用いて、前記一対の挟持部に摩擦挟持される基部と、該基部両端部から外側に膨らむように湾曲しつつそれぞれ延ばされてその両先端部から該基部にかけて容器把持間隔を確保する一対の把持部と、により形成されている、
ことを特徴とする容器保持装置。
【請求項２】
ベ−スに対して開閉蓋が開閉可能に支持され、該開閉蓋の内面に容器を保持するための容器保持部が支持されている容器保持装置において、
前記開閉蓋の内面に一対の挟持部が設けられ、
前記一対の挟持部に前記容器保持部が、前記開閉蓋内面に対して起倒伏可能に摩擦挟持され、
前記容器保持部が、線材を用いて、前記一対の挟持部に摩擦挟持される基部と、該基部両端部から外側に膨らむように湾曲しつつそれぞれ延ばされて容器把持間隔を確保する一対の把持部と、により形成され、
前記開閉蓋の内面にガイドが立設され、
前記ガイドが、前記容器保持部の倒伏時において、該容器保持部の前記把持部と、該容器保持部を起立時の状態よりも縮径させた状態の下で係合可能となるように設定されている、
ことを特徴とする容器保持装置。
【請求項３】
請求項２において、
前記把持部の倒伏領域に、前記ガイドの先端部が位置され、
前記ガイドの先端部に、前記把持部の倒伏動に伴って該把持部を案内する傾斜面が形成され、
前記傾斜面が、前記把持部が該把持部の倒伏動に基づいて前記開閉蓋内面に近づくに従って、該把持部を、前記容器保持部が縮径する方向に案内するように設定されている、
ことを特徴とする容器保持装置。
【請求項４】
請求項１において、
前記基部が、断面多角形状とされ、
前記一対の挟持部の挟持面が、前記基部と面接触するように平坦面とされている、
ことを特徴とする容器保持装置。
【発明の詳細な説明】
【０００１】
【産業上の利用分野】
本発明は、カップ、ジュ−ス缶、コ−ヒ缶等の容器を保持する容器保持装置に関するものである。
【０００２】
【従来技術】
容器保持装置には、実公平５−２８１１２号公報に示すように、ベ−スに対して開閉蓋を開閉可能に支持し、該開閉蓋の内面に容器保持部を支持したものがある。
具体的には、線材を用いてリング状の容器保持部を形成し、その容器保持部を開閉蓋の内面に起倒伏可能に支持し、その容器保持部を付勢手段を用いて開閉蓋の内面に対して起立する方向に付勢するものとなっており、これにより、開閉蓋を開いて起立させたときには、リング状の容器保持部が水平な状態で待機姿勢をとることになっている。
【０００３】
【発明が解決しようとする課題】
しかし、上記容器保持装置においては、開閉蓋を開いて起立させたときには、リング状の容器保持部が一律に水平な状態で待機姿勢をとることから、所定の規格に合った容器を所定の状態でしか保持できず、容器高さ、容器径等が異なるものに対しては、柔軟に対応できない。
【０００４】
本発明は上記実情を鑑みてなされたもので、その目的は、簡単な構成をもって、できるだけ種々の容器に対応できる容器保持装置を提供することにある。
【０００５】
【課題を解決するための手段、作用】
上記目的を達成するために本発明（請求項１に係る発明）にあっては、
ベ−スに対して開閉蓋が開閉可能に支持され、該開閉蓋の内面に容器を保持するための容器保持部が支持されている容器保持装置において、
前記開閉蓋の内面に一対の挟持部が設けられ、
前記一対の挟持部に前記容器保持部が、前記開閉蓋内面に対して起倒伏可能に摩擦挟持されて、該容器保持部が任意の起倒伏位置で保持可能とされ、
前記容器保持部が、線材を用いて、前記一対の挟持部に摩擦挟持される基部と、該基部両端部から外側に膨らむように湾曲しつつそれぞれ延ばされてその両先端部から該基部にかけて容器把持間隔を確保する一対の把持部と、により形成されている構成としてある。この請求項１の好ましい態様としては、請求項４の記載の通りとなる。
【０００６】
上記目的を達成するために本発明（請求項２に係る発明）にあっては、
ベ−スに対して開閉蓋が開閉可能に支持され、該開閉蓋の内面に容器を保持するための容器保持部が支持されている容器保持装置において、
前記開閉蓋の内面に一対の挟持部が設けられ、
前記一対の挟持部に前記容器保持部が、前記開閉蓋内面に対して起倒伏可能に摩擦挟持され、
前記容器保持部が、線材を用いて、前記一対の挟持部に摩擦挟持される基部と、該基部両端部から外側に膨らむように湾曲しつつそれぞれ延ばされて容器把持間隔を確保する一対の把持部と、により形成され、
前記開閉蓋の内面にガイドが立設され、
前記ガイドが、前記容器保持部の倒伏時において、該容器保持部の前記把持部と、該容器保持部を起立時の状態よりも縮径させた状態の下で係合可能となるように設定されている構成としてある。この請求項２の好ましい態様としては、請求項３の記載の通りとなる。
【０００７】
【発明の効果】
請求項１の発明によれば、容器保持部を一対の挟持部で摩擦挟持し、容器保持部を任意の起倒伏位置で挟持摩擦抵抗に基づき保持できることから、容器保持部の起倒伏位置を選択することにより、保持姿勢、開閉蓋内面から容器保持部先端部までの長さを調整して、保持可能な容器を適宜決定できることになる。このため、簡単な構成をもって、できるだけ種々の容器を保持できることになる。
【０００８】
また、請求項１の発明によれば、１本の線材を、基部を中心として外側に膨らむように湾曲させつつ延ばして、容器保持部を形成することから、曲げ加工程度を、リング状に曲げ加工するものよりも少なくすることができ、加工を容易にできるばかりか、原材料としての線材としても、曲がり易いものを選ぶ必要もなくなる。しかも、容器保持部の基部が一対の挟持部により挟持される構成であることから、単純に組み付ける場合に容易になることは勿論、容器保持部をインサ−トして開閉蓋を樹脂成形することもできることになり容器保持部とリッドとの組み付けを簡単化することができることになる。
【０００９】
請求項２の発明によれば、容器保持部が使用時に開閉蓋側部から外方にはみだしていても、収納時には、ガイドにより縮径されて開閉蓋内面に収めることができることになる。
【００１０】
請求項３の発明によれば、容器保持部を倒伏させるだけで、容器保持部の把持部がガイド先端部傾斜面に案内されて、縮径されることになり、容器保持部の収納を極めて簡単に行うことができることになる。
【００１１】
請求項４の発明によれば、一対の挟持部の挟持面が基部と面接触するように平坦面とされていることから、一対の挟持部に対して基部が回動しにくくなり、容器保持部の任意の姿勢をしっかりした状態で保持できることになる。
【００１２】
【実施例】
以下、本発明の実施例を図面に基づいて説明する。
図１において、１は実施例に係るプラスチック製容器保持装置で、該容器保持装置１は、本実施例においては、図２に示すように、自動車車室内におけるコンソ−ル２のア−ムレスト３前方の水平部４上に配設される。
【００１３】
この容器保持装置１は、図１に示すように、ベ−スとしての収納ケ−ス５と、該収納ケ−ス５を開閉する開閉蓋としてのリッド６とを備えている。
【００１４】
上記収納ケ−ス５は、図１〜図３に示すように、長方形状の底板７を備えており、その底板７は、その前部（図２中、下側）をア−ムレスト３に向けて、水平部４上に両面テ−プ８を介して固定されている。この底板７は、本実施例においては、２本の飲料缶等の容器を並設して配設できる大きさとされ、その底板７の内底面には、容器案内凹所９が形成されている。
【００１５】
一方、底板７の周縁部には、その両側部において前部近傍から該前部に延びる側壁１０が立設されているばかりか、その底板７の前部周縁部には、前記両側壁１０に連続する前壁１１が立設されている。この前壁１１の内面には、ロック機構（ラッチ機構）１２が設けられており、そのロック機構１２は、前壁１１の長手方向中央に位置されている。
【００１６】
上記リッド６は、図１〜図５に示すように、収納ケ−ス５に対応して、該収納ケ−ス５を覆う大きさを有している。このリッド６は、該リッド６の基端部を支持部として、収納ケ−ス５の後部（図２中、上側、図３中、左側）に回動可能に支持されていて、収納ケ−ス５を開閉できると共に、収納ケ−ス５に対して略直角となるまで起立回動した後は、該リッド６の基端部と収納ケ−ス５の後部とが当接して、それ以上は回動できないようになっている。
【００１７】
このリッド６と収納ケ−ス５との間には付勢手段としてのねじりばね１４が介装されている。ねじりばね１４は、収納ケ−ス５に対してリッド６を起立する方向に付勢しており、そのねじりばね１４の付勢力に基づき、リッド６は、外力が作用しないとき、回動できなくなるまで自動的に起立することになっている。
【００１８】
このリッド６の先端部（前端部）内面には、その長手方向中央において係止爪１５が設けられている。この係止爪１５は、リッド６を閉じることにより前記ロック機構１２内に進入可能となっており、この係止爪１５がロック機構１２内に進入したときには、係止爪１５はロック機構１２によりロックされ、その状態で再び係止爪１５をロック機構１２内に押し込むと、ロック機構１２と係止爪１５とのロック関係が解除されるように設定されている。
【００１９】
前記リッド６の内面には、本実施例においては、図１〜図５に示すように、２組の一対の挟持部１６ａ、１６ｂが設けられている。この２組の一対の挟持部１６ａ、１６ｂは、リッド６の先端部内面に、所定間隔をあけて配設されており、その各一対の挟持部１６ａ、１６ｂは、本実施例においては、リッド６先端部内面から立設される基部１７上に連続して設けられている。この各一対の挟持部１６ａ、１６ｂは、リッド６の基端部から先端部に向う方向に並設して配設され、その一対の挟持部１６ａ、１６ｂの先端部の間隔は、奥部よりも狭められている。
【００２０】
前記２組の一対の挟持部１６ａ、１６ｂには、図１〜図５に示すように、容器保持部１８が挟持されている。この容器保持部１８は、１本の線材を曲げ加工して形成されており、この容器保持部１８には、２つの基部１９ａ、２０ａと、該各基部１９ａ、２０ａの両側から外側に膨らむように湾曲しつつ延びる一対の把持部２１ａ、２１ｂ（２２ａ、２２ｂ）とを備えている。各基部１９ａ（２０ａ）は、２組の一対の挟持部１６ａ、１６ｂに摩擦挟持されており、その両基部１９ａ（２０ａ）を基準として、容器保持部１８は、一定の抵抗力をもってリッド６内面に対して起倒伏可能とされている。各一対の把持部２１ａ、２１ｂ（２２ａ、２２ｂ）は、各内側把持部２１ａ（２２ａ）が両基部１９ａ、２０ａの間において沿わせるようにして位置され、その両内側把持部２１ａ（２２ａ）は、その両先端部においてつなげられている。各外側把持部２１ｂ（２２ｂ）は、上記内側把持部２１ａ（２２ａ）の延び方向と同方向側において延ばされ、内側把持部２１ａ（２２ａ）と外側把持部２１ｂ（２２ｂ）とは、その両先端部から基部１９ａ（２０ａ）にかけて容器把持間隔を確保することになっており、この際、各外側把持部２１ｂ（２２ｂ）は、容器把持間隔を確保すべく、図２、図５に示すように、その最も外側に膨らんでいる部分がリッド６側部、収納ケ−ス５側部からはみだすことになっている。
【００２１】
また、本実施例においては、容器保持部１８には、内側把持部２１ａ（２２ａ）と基部１９ａ（２０ａ）との間において、突出部２３が形成されており、その突出部２３は、一対の把持部２１ａ、２１ｂ（２２ａ、２２ｂ）の延び方向とは逆方向に、容器保持部（線材）１８を膨出させることにより形成されている。この突出部２３の基部１９ａ（２０ａ）回動に伴う移動領域には、ストッパ２４が設けられており、そのストッパ２４はリッド６内面に突設されており、これにより、一対の把持部２１ａ、２１ｂ（２２ａ、２２ｂ）は、基部１９ａ（２０ａ）を中心として、リッド６内面に対して起立した後は、それ以上回動できないことになっている。
【００２２】
前記リッド６内面には、図１、図３〜図５に示すように、ガイド２５、２５が立設されている。この各ガイド２５は、各基部１９ａ（２０ａ）よりもリッド６の側部寄りであってやや基端部側にそれぞれ配設されており、その各ガイド２５の先端部は、各外側把持部２１ｂ（２２ｂ）の倒伏領域に臨まされている。このガイド２５先端部には、傾斜面２６が形成され、その傾斜面２６はリッド６内面に近づくに従って、倒伏時における一対の把持部２１ａ、２１ｂ（２２ａ、２２ｂ）内方に向うように傾斜されている。また、ガイド２５の内面２７は、上記傾斜面２６に連続して、リッド６内面に対して垂直となるように延びており、そのガイド内面２７には、外側把持部２１ｂ（２２ｂ）の倒伏時において、該外側把持部２１ｂ（２２ｂ）外周縁が係合することになっている（図５参照）。
【００２３】
このような容器保持装置１においては、図４に示すように、リッド６が閉じている状態で、リッド６の先端部を押せば、係止爪１５に対するロック機構１２のロックが解除され、ねじりばね１４の付勢力により、リッド６は起立する。
【００２４】
この後、例えば、図１〜図３に示すように、容器保持部１８を、基部１９ａ（２０ａ）を中心として起立させ、その各一対の把持部２１ａ、２１ｂ（２２ａ、２２ｂ）に容器を把持させて、該容器を保持する。
この場合において、容器の高さが低いため、上記のように、容器保持部１８をリッド６に対して略直角に起立させたのでは、容器保持がうまく行えない場合には、容器保持部の起立度合いを適宜緩めて、容器周壁の上側から下方に向けて、容器を保持することになる。
また、容器径が小さいため、容器保持部１８をリッド６に対して略直角に起立させたのでは、容器保持がうまく行えない場合には、容器保持部１８の起立度合いを適宜緩めて、一対の把持部２１ａ、２１ｂ（２２ａ、２２ｂ）先端部とリッド６内面との距離の調整を図り、一対の把持部２１ａ、２１ｂ（２２ａ、２２ｂ）先端部とリッド６内面とで容器を挟持することになる。
【００２５】
リッド６を閉じるときには、先ず、容器保持部１８をリッド６内面に倒伏させ、その後、リッド６を閉動し、係止爪１５をロック機構１２に押し込み、係止爪１５をロック機構１２によりロックする。
【００２６】
上記リッド６を閉じるときにおいては、図５の実線に示すように、容器保持部１８の外側把持部２１ｂ（２２ｂ）がリッド６の側部よりもはみ出ているが、容器保持部１８を倒伏させれば、図５の仮想線に示すように、容器保持部１８の各外側把持部２１ｂ（２２ｂ）がガイド２５先端部の傾斜面２６に案内されて、縮径され、その後、その縮径状態は、ガイド内面２７と外側把持部２１ｂ（２２ｂ）との係合により保持され、各外側把持部２１ｂ（２２ｂ）はリッド６内面内に収まることになる。
【００２７】
したがって、容器保持部１８として線材を用い、その容器保持部１８を一対の挟持部１６ａ、１６ｂで摩擦挟持して、一対の挟持部１６ａ、１６ｂで、容器保持部１８を任意の起倒伏位置で保持できることから、容器保持に際して、簡単な構成をもって、容器の種々の高さ、径に対して対処できることになる。
【００２８】
また、１本の線材を、基部１９ａ（１９ｂ）を中心として外側に膨らむように湾曲させつつ延ばして、容器保持部１８を形成することから、曲げ加工程度を、リング状に曲げ加工するものよりも少なくすることができ、加工を容易にできるばかりか、原材料としての線材として、曲がり易いものを選ぶ必要もなくなる。しかも、容器保持部１８の基部１９ａ（１９ｂ）が一対の挟持１６ａ（１６ｂ）より挟持される構成であることから、単純に組み付ける場合に容易になることは勿論、容器保持部１８をインサ−トしてリッドを樹脂成形することもできることになり、製造を簡単化することができることになる。
【００２９】
さらに、容器保持部１８が使用時にリッド６側部から外方にはみだしていても、収納時には、容器保持部１８を倒伏させるだけで、容器保持部１８をリッド６内面内に収めることができることになり、容器保持部１８の収納を極めて簡単に行うことができることになる。
しかも、この場合、一対の挟持部１６ａ（１６ｂ）による基部１９ａ（２０ａ）の摩擦挟持に加えて、容器保持部１８の側部（外側把持部）が両ガイド２５により挟持されることになり、容器保持部１８の収納時において、容器保持部１８が、しっかりとリッド６に保持されることになり、振動に基づく、容器保持部１８のがたつき音を確実に防止できることになる。
【００３０】
図６は他の実施例を示すものである。この他の実施例において、前記実施例と同一構成要素については同一符号を伏してその説明を省略する。
【００３１】
この実施例においては、容器保持部１８の基部１９ａ（２０ａ）が、断面多角形状とされ、その基部１９ａ（２０ａ）が一対の挟持部１６ａ（１６ｂ）の挟持面により面接触するように挟持されている。
これにより、一対の挟持部１６ａ（１６ｂ）に対して基部１９ａ（２０ａ）が回動しにくくなり、容器保持部１８の任意の姿勢をしっかりした状態で保持できることになる。
この場合、一対の挟持部１６ａ（１６ｂ）の平行な平坦面で、基部１９ａ（２０ａ）の平行な外面を挟持しているが、基部１９ａ（２０ａ）の断面多角形状を適宜選択し、一対の挟持部１６ａ（１６ｂ）の平坦面の突出角度を調整して、基部１９ａ（２０ａ）と一対の挟持部１６ａ（１６ｂ）の挟持面との面接触を確保してもよい。
【００３２】
以上実施例について説明したが本発明にあっては、次のようなものを包含する。
▲１▼ストッパ２４を省いて、リッド６の回動範囲を広げること。
▲２▼２個の容器を保持する場合に限らず、１個の場合、３個以上の場合に本発明を適用すること。
【図面の簡単な説明】
【図１】実施例に係る容器保持装置を示す斜視図。
【図２】図１の平面図。
【図３】図２のＡ−Ａ線断面図。
【図４】図２において、リッドを閉じた状態を示す図。
【図５】容器保持部の外側把持部とガイドとの関係を説明する説明図。
【図６】他の実施例を説明する説明図。
【符号の説明】
１  容器保持装置
５  収納ケ−ス
６  リッド
１４  ねじりばね
１６ａ  挟持部
１６ｂ  挟持部
１８  容器保持部
１９ａ  基部
２０ａ  基部
２１ａ  内側把持部
２１ｂ  外側把持部
２２ａ  内側把持部
２２ｂ  外側把持部
２５  ガイド
２６  傾斜面
２７  ガイド内面
【図１】
0003631294.tif 000002
【図２】
0003631294.tif 000003
【図３】
0003631294.tif 000004
【図４】
0003631294.tif 000005
【図５】
0003631294.tif 000006
【図６】
0003631294.tif 000007